(57)【要約】      （修正有）【課題】二種以上の材料を分割して収納し、使用時に包装袋を開封することなく混合することを可能とし、また、輸送、保存中は、両者が混合するおそれがなく、使用に際しては容易に合わせることの可能な分画包装袋の提供。【解決手段】袋体３を構成する熱可塑性樹脂フィルム２ａ、２ｂと、該袋体を分画する分画フィルム４とからなり、分画フィルム４が、ヒートシール層と弱ヒートシール層を有するリボン状体を、弱ヒートシール層を中にして２枚を重ね合わせて一方の側縁を熱融着してなり、該分画フィルム４を、袋体３の２辺に跨って配設すると共に遊離側縁側のヒートシール層を遊離側縁に沿って袋体３の熱可塑性樹脂フィルム２ａ、２ｂの内面に熱融着することによって、内部を分画した袋体３としてなることを特徴とする分画包装袋１。【選択図】図１
2005162291.tif 000002
【特許請求の範囲】
【請求項１】
袋体を構成する熱可塑性樹脂フィルムと、該袋体を分画する分画フィルムとからなり、分画フィルムが、ヒートシール層と弱ヒートシール層とが積層されたリボン状体を、弱ヒートシール層を内にして重ね合わせて、一方の側縁を熱融着してなり、該分画フィルムを、袋体の２辺に跨って配設すると共に、ヒートシール層の遊離側縁を側縁に沿って袋体を構成する熱可塑性樹脂フィルムの内面にそれぞれ熱融着することによって、内部を分画した袋体としてなることを特徴とする分画包装袋。
【請求項２】
弱ヒートシール層間の熱融着強度が、１００〜６００ｇ／１５ｍｍである請求項１に記載の分画包装袋。
【請求項３】
袋体を構成するフィルムと分画フィルムとが、オレフィン系重合体を主成分とする熱可塑性樹脂からなる請求項１又は２に記載の分画包装袋。
【請求項４】
分画フィルムの弱ヒートシール層が、オレフィン系重合体に無機充填材又は異種樹脂を配合されてなる請求項１〜３のいずれかに記載の分画包装袋。
【請求項５】
分画フィルムのヒートシール層と弱ヒートシール層との間に、ガスバリアー層を介装してなる請求項１〜４のいずれかに記載の分画包装袋。
【請求項６】
分画フィルムが、袋体の対向する辺に跨って配設されてなる請求項１〜５のいずれかに記載の分画包装袋。
【請求項７】
袋体の開口が、分画フィルムを挟んで対向する辺にそれぞれ形成されてなる請求項１〜６のいずれかに記載の分画包装袋。
【請求項８】
袋体の開口が、分画フィルムと交差する方向の一方の辺に形成されてなる請求項１〜６のいずれかに記載の分画包装袋。
【発明の詳細な説明】
【技術分野】
【０００１】
本発明は、分画包装袋に関する。更に詳しくは、二種以上の内容物を分割して収納し、使用時に包装袋を開封することなく混合することの可能な分画包装袋に関する。
【背景技術】
【０００２】
近年、二種以上の薬剤、食品を分割して包装し、使用前に混合するようにした包装が多くなっている。たとえば、コーキング剤、接着剤は、主剤とその硬化剤が分割して収容され、使用前に二者を混合することが行なわれる。また、食品においては、食材と調味料を分割して包装して、食に供する前に合わせて味付けをすることが行なわれる。材料のそれぞれを分割して独立に包装することによって、内容物を変質させることなく、長期に保存することを可能とする。
【０００３】
しかし、使用に際しては、柔軟な袋体中で、収納された液状物を混合することは難しく、混合する際には、別途、剛性の容器を用意し、その容器に移し替えて混合する必要があり、手数を要した。
【０００４】
このため、袋体内部に仕切りを形成し、各材料をそれぞれの室に収容し、使用に供する前に、袋体を開封することなく、仕切りのみを壊して混合する袋が開発されている（特許文献１、２）。
【０００５】
しかし、これらの分画袋は、イージーピール性のフィルムを挟んで袋体を形成するフィルム同士を接合することによって仕切りが形成されている。袋体のフィルム同士を接合する方式は、輸送、保存のために、分画を維持する必要のあるときと、使用のために仕切りを破壊すべきときの強度のバランスが難しい問題がある。すなわち、輸送中に仕切りが破壊しない程度に接着力の強いフィルムを介装して仕切りを行うと、使用時に仕切りを開くことが難しくなり、また、接着力の弱いフィルムを介装して仕切りを行うと多数個を箱詰して輸送する場合、上方の袋の荷重のために、あるいは、輸送中の振動、衝撃のために仕切りが破壊する問題が生じる。
【０００６】
しかるに、肉厚の薄いイージーピール性フィルムを挟んで、両面の袋体フィルム同士を接合したときは、袋体内部に材料を収納した場合、袋体の収容部は厚みが厚くなるのに対して仕切り部は膨らむことができず、薄い状態のままとなるため、包装体に荷重がかかると、包装体の内圧が高くなり、袋体壁を押し広げる力となるため、仕切り部を開く力として作用し、輸送中に仕切りが破損し易くなる。
【０００７】
また、分画された室は、袋体のフィルムで封鎖されるため、各室は独立したものとなり、室間で容量を融通することができないものとなる。室が独立しているときは、液体を充填した際、各室の高さが異なって不揃いとなり、これを重ねて箱詰めすると、厚みの大きい室側に一方的に荷重がかかって内圧が高くなり、他の室の圧力は低いままとなるため、仕切りに力が加わり、輸送中に仕切りが破壊する問題がある。
【０００８】
また、肉厚の薄いイージーピール性フィルムを挟んで、両面の袋体フィルム同士を接合したときは表面が波状になるため、多数の包装体を箱詰めする際、安定して形よく収容することができない問題もある。
【０００９】
このため、輸送中は荷重、振動を受けても破損することがなく、安定しており、使用に際しては、容易に仕切りを破壊して混合することの可能な分画包装袋の開発が要請されている。
【特許文献１】特開平９−２２１１５０号公報
【特許文献２】特開平９−２２１１７６号公報
【発明の開示】
【発明が解決しようとする課題】
【００１０】
本発明は、二種以上の材料を分割して収納し、使用時に包装袋を開封することなく材料の混合を可能とし、また、輸送、保存中は、材料が混合するおそれがなく、使用に際しては容易に合わせることの可能な分画包装袋を提供するものである。
【課題を解決するための手段】
【００１１】
本発明は、かかる課題を解決するため鋭意検討した結果なされたもので、具体的には、
袋体を構成する熱可塑性樹脂フィルムと、該袋体を分画する分画フィルムとからなり、分画フィルムが、ヒートシール層と弱ヒートシール層とが積層されたリボン状体を、弱ヒートシール層を内にして重ね合わせて、一方の側縁を熱融着してなり、該分画フィルムを、袋体の２辺に跨って配設すると共に、ヒートシール層の遊離側縁を側縁に沿って袋体を構成する熱可塑性樹脂フィルムの内面にそれぞれ熱融着することによって、内部を分画した袋体としてなることを特徴とする分画包装袋を提供するものである。
【００１２】
また、本発明は、弱ヒートシール層間の熱融着強度が１００〜６００ｇ／１５ｍｍである上記の分画包装袋、袋体を構成するフィルムと分画フィルムとがオレフィン系重合体を主成分とする熱可塑性樹脂からなる上記の分画包装袋、分画フィルムの弱ヒートシール層がオレフィン系重合体に無機充填材又は異種樹脂を配合してなる上記の分画包装袋、及び、分画フィルムのヒートシール層と弱ヒートシール層との間にガスバリアー層が介装されてなる上記の分画包装袋を提供するものである。
【００１３】
さらに、本発明は、分画フィルムが袋体の対向する辺に跨って配設されてなる上記の分画包装袋、袋体の開口が分画フィルムを挟んで対向する辺にそれぞれ形成されてなる上記の分画包装袋、及び、袋体の開口が分画フィルムと交差する方向の一方の辺に形成されてなる上記の分画包装袋を提供するものである。
【発明の効果】
【００１４】
二種以上の材料を分割して収納し、使用時に包装袋を開封することなく混合することを可能とし、また、材料を充填した際にも、袋体は平坦な形状を維持するから、一方の室に大きな加重がかかることがなく、特に、分画された室間で容量を融通しあうから、片寄った荷重を受けたときも内圧は均等となり、仕切りを形成する分画フィルムに力が掛かることがないから、安全に輸送することを可能とする。
【発明を実施するための最良の形態】
【００１５】
本発明の分画包装袋１は、図１に示すように、一対の熱可塑性樹脂フィルム２ａ、２ｂによって袋体３が形成され、袋体３内部に分画フィルム４が装着されて、袋体３の内部が複数の室３ａ、３ｂに分画される。
【００１６】
分画包装袋１の構造については特に制限はなく、目的に応じて任意に選択することができ、図１においては、分画包装袋１は、一対の熱可塑性樹脂フィルム２ａ、２ｂを重ねて、両側縁をヒートシールし、融着部６ａ、６ｂを形成することによって上下に開口した２室からなる分画包装袋１とされている。他にも、背張り型とすることができ、また、両側に折り込みを形成した分画包装袋１とすることもできる（図示せず）。
【００１７】
本発明分画包装袋１を形成する熱可塑性樹脂としては、特に制約はなく、目的に応じて広く選択することができるが、一般的には、高圧法低密度ポリエチレン、線状低密度ポリエチレン、高密度ポリエチレン、ポリプロピレン、エチレン・プロピレン共重合体、エチレン・酢酸ビニル共重合体等のポリオレフィン、ポリエチレンテレフタレート、ポリブチレンテレフタレート等のポリエステル、ナイロン６、ナイロン６６等のポリアミド等を用いることができる。中でも、ポリオレフィン及びポリアミドが望ましく、特に、包装袋１の内面を、密度０．９１〜０．９３ｇ／ｍｍ３  、ＭＦＲ０．１〜４０ｇ／１０分の低密度ポリエチレン、または、密度０．８８〜０．９４ｇ／ｍｍ３  、ＭＦＲ０．１〜４０ｇ／１０分の線状低密度ポリエチレンとしたものが望ましい。
【００１８】
熱可塑性樹脂フィルム２は、上記の樹脂の単層体として使用可能であるが、補強、化粧、あるいは、熱融着性の改良等を目的として、複数の熱可塑性樹脂層を積層した積層フィルムとして用いることができる。たとえば、外面を、引掻き傷の発生の少ない樹脂、光沢の優れた樹脂、あるいは、機械的強度の優れた樹脂等の層とし、内面を、ヒートシーラブルな樹脂の層とすることができる。
【００１９】
たとえば、図２（Ａ）に示すように、外層１１をポリアミド、二軸延伸ポリプロピレンフィルム層、高密度ポリエチレン層又は線状低密度ポリエチレン等の機械的強度の高い樹脂層とし、内層１２を、高圧法低密度ポリエチレン層、線状低密度ポリエチレン層等のヒートシーラブルな樹脂層とすることによって、強度を有し、ヒートシーラブルなフィルムを得ることができる。
【００２０】
また、目的に応じて、ガスバリアー性を付与したフィルムが用いられる。たとえば、外層１１を二軸延伸ポリプロピレンフィルム層、ポリエステル層、又は、ポリアミド層等のガスバリアーの高い層とし、内層１２として、ヒートシーラブルなポリオレフィンを積層することによって、ガスバリアー性とヒートシール性を兼ね備えたフィルムを得ることができる。
【００２１】
また、図２（Ｂ）に示すように、外層１１を、強度、光沢性に優れた保護層とし、内層１２をヒートシーラブル層とし、中間層１３にガスバリアー層を形成した積層フィルムを用いることができる。
【００２２】
ヒートシーラブル層を形成する材料としては、高圧法低密度ポリエチレン、線状低密度ポリエチレン、あるいは、エチレン・プロピレン共重合体、メタロセン系触媒を用いて重合した線状低密度ポリエチレン、あるいは、エチレン・酢酸ビニル共重合体を用いることができ、ガスバリアー層としては、二軸延伸ポリプロピレン、ポリエステル、ポリアミド、あるいは、鹸化ポリビニルアルコール、アルミニウム蒸着膜、アルミニウム箔等を用いることができる。
【００２３】
これら熱可塑性樹脂には、目的に応じて各種の添加剤を添加することができる。具体的には、フェノール系、有機ホスファイト系などの有機リン系、チオエーテル系等の酸化防止剤；ヒンダードアミン系等の光安定剤；ベンゾフェノン系、ベンゾトリアゾール系、ベンゾエート系等の紫外線吸収剤；ノニオン系、カチオン系、アニオン系等の帯電防止剤；ビスアミド系、ワックス系、有機金属塩系等の分散剤；アルカリ土類金属塩のカルボン酸塩系等の塩素補足剤；アミド系、ワックス系、有機金属塩系、エステル系等の滑剤；ヒドラジン系、アミンアシド系等の金属不活性剤；無機、有機抗菌剤、可塑剤等が挙げられる。
【００２４】
これら添加剤は、適宜組み合わせて材料組成物を製造する工程で配合される。添加剤の配合は、従来の公知の二軸スクリュー押出機、バンバリーミキサー、ニーダー、ミキシングロール等の混練装置を用いて所定割合に混合して、これを溶融混練して調製してもよいし、高濃度のいわゆるマスターバッチを作製し、これを希釈して使用するようにしてもよい。
【００２５】
積層フィルムを形成する手段としては、予め形成された一方のフィルムと他方のフィルムを熱あるいはホットメルト剤によって接合する方法や、予め形成した一方のフィルムに他方の層を形成する熱可塑性樹脂を押出ラミネートする方法、あるいは、多層共押出法により積層フィルムとして押出成形する方法などの公知の方法から適宜選択して実施することができる。
【００２６】
熱可塑性樹脂フィルムの厚さは目的に応じて任意に選定することができるが、一般的には、３０〜２００μｍ、好ましくは６０〜１００μｍ程度である。
【００２７】
本発明においては、図１に示すように、分画包装袋１の内部に袋体３の室を分画するように分画フィルム４が装着されるところに特徴を有する。
【００２８】
分画フィルム４は、図３（Ａ）に示すように、ヒートシール層１５と弱ヒートシール層１６を積層してリボン状体１７とし、これを図３（Ｂ）に示すように、弱ヒートシール層１６を中にして２枚を重ね合わせると共に、リボン状体１７の一方の側縁を側縁１７ａに沿って熱融着して分画フィルム４を形成する。この場合、弱ヒートシール層１６間のヒートシールは、強度を抑制したものとし、一般に、１００〜６００ｇ／１５ｍｍ、好ましくは２００〜４００ｇ／１５ｍｍとされる。
【００２９】
リボン状体１７の幅は、図４に示すように、リボン状体１７の両側のヒートシール部の間の距離ａ１とａ２の合計が、分画包装袋１に材料を充填したときに想定される分画包装袋１の厚さｂと同等程度か若干大きい幅とされる。熱融着の幅は、特に制限はないが、一般に、１．０〜８．０ｍｍ程度である。
【００３０】
リボン状体１７のヒートシール層１５は、袋体３を形成する熱可塑性樹脂フィルム２と熱溶着することが可能な熱可塑性樹脂が用いられ、高圧法低密度ポリエチレン、線状低密度ポリエチレン、高密度ポリエチレン、ポリプロピレン、エチレン・プロピレン共重合体、エチレン・酢酸ビニル共重合体等のポリオレフィン系重合体、ポリエチレンテレフタレート、ポリブチレンテレフタレート等のポリエステル、ナイロン６、ナイロン６６等のポリアミド等が用いられる。特にポリオレフィン系重合体が好ましい。
【００３１】
また、弱ヒートシール層１６は、ヒートシール層１５と熱可塑性樹脂フィルム２とのヒートシール強度に対して、低強度のヒートシールとなるような熱可塑性樹脂によって形成される。
【００３２】
ヒートシールが低強度となる熱可塑性樹脂としては、高融点の樹脂を用いることができ、ポリプロピレン、ポリエステル、ポリアミドを使用することができる。
【００３３】
また、熱溶着が低強度となる熱可塑性樹脂は、熱可塑性樹脂に無機充填材を分散させることによって得ることができる。無機充填材としては、無機粉体系では、シリカ、タルク、マイカ、クレー等の天然系、及び炭酸カルシウム、炭酸マグネシウム、水酸化カルシウム、酸化チタン、酸化亜鉛、アルミナ、ゼオライト、カーボンブラック、グラファイト等、有機粉体系では、フェノール樹脂粉、エボナイト粉等が挙げられる。
【００３４】
また、異種樹脂を添加することによって熱融着強度を抑制することができ、たとえば、  オレフィン系重合体にビニルモノマーを含浸した後、これを重合条件に附すことによって得られた複合樹脂を混練して分散させることによって得ることができる。
【００３５】
ビニルモノマーを含浸するオレフィン系重合体としては、高圧法低密度ポリエチレン、線状低密度ポリエチレン、高密度ポリエチレン、ポリプロピレン、エチレン・プロピレンブロック共重合体等のオレフィン系重合体を用いることができ、ビニル単量体としては、スチレン、α−メチルスチレン、モノクロロスチレン、ｐ−メチルスチレン、エチルスチレン等のスチレン系単量体、アクリル酸、アクリル酸エステル等のアクリル系単量体を使用することができる。ビニル単量体の含浸量は、オレフィン系重合体１００重量部に対してビニル単量体１０〜８０重量部、好ましくは２０〜８０重量部の範囲が好ましい。
【００３６】
また、リボン状体１７には、目的に応じて、ガスバリアー層を形成することができ、ガスバリアー層を形成する熱可塑性樹脂としては、袋体３のガスバリアー層と同様の樹脂が使用され、通常、ヒートシール層１５と弱ヒートシール層１６との間に設けられる。得られた分画フィルム４は、袋体内部の２辺に跨って配設すると共に、遊離縁側、すなわち、弱ヒートシール層１６同士を接合した側縁とは反対側の側縁のヒートシール層１５を遊離側縁に沿って袋体３の熱可塑性樹脂フィルム２の内面に熱融着される。
【００３７】
分画フィルム４は、袋体３を分画するように、袋体３の側縁の２辺に跨って配設される。図１は、袋体３の対向する辺に水平に装着され、分画フィルム４を中にして、室３ａ、３ｂが上下に形成され、開口２０ａ、２０ｂは、分画フィルム４を挟んで対向する辺に形成される。
【００３８】
また、分画フィルム４は、図５に示すように、袋体３の開口２０ｃに対して直交する方向に装着することができる。分画フィルム４を開口２０に対して直交する方向に配設することによって、各室３ａ、３ｂに材料を充填する際、袋体３を反転することなく、同方向から充填することができ、また、袋体３を３個以上に分画することが可能となる。なお、分画フィルム４は、図６に示すように、袋体３の隣接する２辺に跨って斜めに配設することも可能である。
【００３９】
分画フィルム４の装着は、本発明を限定するものではないが、たとえば、次のようにして行なうことができる。
【００４０】
一方の熱可塑性樹脂フィルム２ａの上に、所定の位置と方向に合わせて分画フィルム４を置き、その上に他方の熱可塑性樹脂フィルム２ｂを被せ、熱可塑性樹脂フィルム２ａ、２ｂの側縁をヒートシールして融着部６ａ、６ｂを形成する。分画フィルム４の端部は、この融着部６の内部に埋め込まれる。次いで、分画フィルム４の遊離端側、すなわち、リボン状体１７の低ヒートシール層間のヒートシールを形成したとは反対側の側縁に沿って、ヒートシール層１５の側縁を熱可塑性樹脂フィルム２の内面にヒートシールする。
【００４１】
ヒートシールは、熱板による押圧によって行なうことができ、また、超音波、高周波等を用いて行なうことができる。なお、分画フィルム４と熱可塑性樹脂フィルム２の熱接合の際、弱ヒートシール層１６間の熱接着を防止するため、その間に金属板等を介装して行なうことが望ましい。
【００４２】
こうして得られた分画包装袋１は開口から材料を充填して開口をヒートシールすれば包装体が得られる。分画フィルム４は熱可塑性樹脂フィルム２との両ヒートシールの間に距離を有するから、分画包装袋１に材料を充填した際にも、外壁が波打つことがなく、箱詰めが容易であり、また、分画フィルム４は片方の室に荷重がかかり、一方の室の圧力が高くなった場合には、他の室側に膨出して圧力を均等化する機能を有する。
【００４３】
分画包装袋１に収容された収容物を使用するときは、分画包装袋１を開封することなく、一方の室を挟圧すれば、分画フィルム４は他の室方向に押圧されると共に袋体３が厚さ方向に開くため、弱ヒートシール層１２間のヒートシール部Ｐが剥離して、両室は連通して、分割された材料は混合される。
【産業上の利用可能性】
【００４４】
本発明は、２液性の接着剤、コーキング剤、その他、化学薬品の包装、レトルト食品、漬物等の食材の包装として広く使用することができる。
【図面の簡単な説明】
【００４５】
【図１】本発明分画包装袋の例を示す斜視図
【図２】本発明に使用される熱可塑性樹脂フィルムの例を示す斜視図
【図３】本発明分画フィルムの例を示す斜視図
【図４】袋体の分画フィルム部を示す横断面図
【図５】本発明分画包装袋の他の例を示す斜視図
【図６】本発明分画包装袋のさらに他の例を示す斜視図
【符号の説明】
【００４６】
１：分画包装袋
２：熱可塑性樹脂フィルム
３：袋体
４：分画フィルム
６：融着部
１５：ヒートシール層
１６：弱ヒートシール層
１７：リボン状体
２０：開口
【図１】
2005162291.tif 000003
【図２】
2005162291.tif 000004
【図３】
2005162291.tif 000005
【図４】
2005162291.tif 000006
【図５】
2005162291.tif 000007
【図６】
2005162291.tif 000008